(57)【要約】【課題】  簡素な構造で構成され、取り扱いが簡単で、廃棄物などの発生がなく、再利用を可能とする。【解決手段】  略矩形の樹脂製シート材よりなるシート本体２を、端縁同士を連結して連続した面状に構成させてなる養生シート１であって、シート本体２の縁部３を挟持する挟持片６を備えた断面略コ字状の取付基部５と、取付基部５の先端から延出し、先端縁９が内向きに傾斜形成されて断面略Ｌ字状に形成され、且つ先端縁９に膨出部１０が形成され、取付基部５との間に奥拡がり形状の溝部１１が形成される連結部８とを具備する樹脂素材よりなるレール状連結体４を、シート本体２の縁部３に固着させるとともに、シート本体２に隣り合うシート本体２の縁部３には、連結体４を対称配置で固着して、隣接する各シート本体２の各縁部３に沿ってそれぞれ配設される各連結体４の連結部８同士を、各先端縁９にて互いに噛み合わせ連結する。【選択図】        図１
0003116651.tif 000002
【実用新案登録請求の範囲】
【請求項１】
可撓性を有する樹脂製シート材よりなり、所定形状に形成されるとともに所定の厚さに形成されるシート本体を、端縁同士を連結して連続した面状に構成させてなる養生シートであって、
シート本体の縁部を表裏面から挟持する一対の挟持片を備えた断面略コ字状の取付基部と、
取付基部の先端から一方の挟持片に連続して片状に延出するとともに、中途から先端縁が内向きに傾斜形成され、略逆鉤状となって断面略Ｌ字状に形成される連結部と、
を具備する可撓性を有する樹脂素材よりなるレール状連結体を、
前記シート本体の縁部に前記取付基部にて固着させるとともに、
該シート本体に隣り合うシート本体の縁部には、連結体を対称配置で固着して、
隣接する各シート本体の各縁部に沿ってそれぞれ配設される各連結体の連結部同士を、各先端縁にて互いに噛み合わせ、前記シート本体同士を連結することを特徴とする養生シート。
【請求項２】
可撓性を有する樹脂製シート材よりなり、所定形状に形成されるとともに所定の厚さに形成されるシート本体を、端縁同士を連結して連続した面状に構成させてなる養生シートであって、
シート本体の縁部を表裏面から挟持する一対の挟持片を備えた断面略コ字状の取付基部と、
取付基部の先端から一方の挟持片に連続して片状に延出するとともに、中途から先端縁が内向きに傾斜形成され、略逆鉤状となって断面略Ｌ字状に形成され、且つ該先端縁に膨出部が形成されて、前記取付基部との間隙を狭窄形成し、奥拡がり形状の溝部が形成される連結部と、
を具備する可撓性を有する樹脂素材よりなるレール状連結体を、
前記シート本体の縁部に前記取付基部にて固着させるとともに、
該シート本体に隣り合うシート本体の縁部には、連結体を対称配置で固着して、
隣接する各シート本体の各縁部に沿ってそれぞれ配設される各連結体の連結部同士を、各先端縁にて互いに噛み合わせ、前記シート本体同士を連結することを特徴とする養生シート。
【請求項３】
前記連結体は、隣り合うシート本体での対称配置となり互いに係合し合うそれぞれで、異なる色で構成されることを特徴とする請求項１又は２記載の養生シート。
【請求項４】
前記連結体の取付基部の先端と、前記シート本体の縁部における端縁とが、所定の間隙を有して固着されていることを特徴とする請求項１，２，３のいずれか１つに記載の養生シート。
【考案の詳細な説明】
【技術分野】
【０００１】
本考案は、住宅や店舗，事務所等での引越作業時などにおける荷物の搬入・搬出時に、床や壁などを一時的に保護するための養生シートに関するものである。
【背景技術】
【０００２】
住宅や店舗，事務所等で、転居や移転等の引越作業時には、荷物や家具等の搬出時、搬入時に、その運び出される家具等、或いは運び込まれる家具等で、建物側に対して損傷を与えたり、逆に家具等に傷が付かないように、建物壁面や床面に養生材が用いられる。また、店舗等における新たな什器の搬入や、家屋内に新たな家具を搬入する際、或いは、建物内の什器などの撤去時などにも、養生材が用いられる。
また、住宅などの建物の建築工事過程や、既存の建物に対する改修や補修工事の際などにも養生材が用いられることがある。
【０００３】
養生材は、一般的には、所定の大きさのベニヤ板などの合板や段ボール板などが用いられ、この合板等を壁面や床面に対して粘着テープで貼り付け固定している。また、養生材は、合板以外を素材とするものがあり、例えば、合成樹脂繊維製のシート材や、樹脂製の板状部材などで構成されている。そして、合板等と同様、その使用期間が一時的なものであることから、建物側に対して粘着テープを用い、壁面や床面に貼り付け、対応している。
【０００４】
また、近年では、養生材の取り扱いを容易なものとするために、以下に示す各特許文献にあるような工夫がなされている。すなわち、シート状の養生材の端部に面ファスナーとチャックを設けて養生材同士の接合を行えるようにしたもの（特許文献１）や、カギ状係合溝を一方にＴ字状延出部を他方に形成して互いを連結する構成（特許文献３）、予めＬ字状に形成されている板材で構成され、建物階段部分を覆うことを可能とするもの（特許文献２）などがある。さらには、新たに搬入される建物構成部材である床材に、予め養生シートを貼着して構成し、この養生シートを後工程で剥がすこととされるもの（特許文献４）や、方形状のパネル板状に形成して、各辺部分に係合部を備えさせ、互いを連結し敷きつめるように構成するもの（特許文献５）など様々な形態が案出されている。
【特許文献１】実公昭６０−６１１２号公報
【特許文献２】特開２００４−２１１３３３号公報
【特許文献３】特開２００４−２１８３９５号公報
【特許文献４】特開平１１−２７０１４０号公報
【特許文献５】特許第２８７９００８号公報
【考案の開示】
【考案が解決しようとする課題】
【０００５】
しかしながら、上述した従来の各養生材では、一般的な合板にて構成されるものでは、木質材であることで扱いにくいことがあり、また、繊維製シート材では剛性がないことで扱いにくく、さらには、粘着テープを用いることから、設置する作業及び撤去する作業に時間を要するとともに手間が掛かる欠点を有している。また、粘着テープでは、被覆される側である建物側に粘着剤が付着し、撤去時であるテープ剥離時に建物側の壁面を汚損させるおそれがある。さらに、養生作業は、一時的なものであり、このことから、養生材と粘着テープとは作業終了後に撤去されることとなるが、粘着テープは、繰り返して使用することが不可能、すなわち再利用が不可能であり、廃棄処分となる。この粘着テープは大量のゴミとなり、その処理に多大な費用がかかる問題点がある。さらに、養生材が段ボールで構成される場合には、この段ボール材も再利用には向かず、廃棄処分となる。
【０００６】
また、上記した各特許文献の養生材においても、その成形が複雑であったり、使用方法に煩雑さがあるなど、簡素な構成や、取り扱いが容易なものが望まれており、さらには、再利用、素材としてのリサイクルが可能なものが望まれている。
【０００７】
そこで本考案は、上記問題点を解消するために、簡素な構造で構成され、取り扱いが簡単で、廃棄物などの発生がなく、再利用を可能とするとともに、素材としてもリサイクルの可能な養生シートを提供することを目的としている。
【課題を解決するための手段】
【０００８】
次に、上記の課題を解決するための手段を、実施の形態に対応する図面を参照して説明する。
この考案の請求項１記載の養生シートは、可撓性を有する樹脂製シート材よりなり、所定形状に形成されるとともに所定の厚さに形成されるシート本体２を、端縁３同士を連結して連続した面状に構成させてなる養生シート１であって、
シート本体２の縁部３を表裏面から挟持する一対の挟持片６を備えた断面略コ字状の取付基部５と、
取付基部５の先端から一方の挟持片６に連続して片状に延出するとともに、中途から先端縁９が内向きに傾斜形成され、略逆鉤状となって断面略Ｌ字状に形成される連結部８と、
を具備する可撓性を有する樹脂素材よりなるレール状連結体４を、
前記シート本体２の縁部３に前記取付基部５にて固着させるとともに、
該シート本体２に隣り合うシート本体２の縁部３には、連結体４を対称配置で固着して、
隣接する各シート本体２の各縁部３に沿ってそれぞれ配設される各連結体４の連結部８同士を、各先端縁９にて互いに噛み合わせ、前記シート本体２同士を連結することを特徴とする。
【０００９】
この養生シート１では、シート本体２の各辺部分となる縁部３に、連結体４を固着することで、同様に構成する複数のシート本体２同士を並べ、隣り合う各縁部３の連結体４を先端縁９同士で噛み合わせることで連結でき、必要な広さの養生シート１を構築可能となる。特に可撓性を有する素材で構成したことで、連結体４の部分で屈曲が可能となり、部屋内の入隅部分２１や出隅部分２２においても、その形状に追従して壁面や床面を覆うことが可能となる。例えばシート本体２が矩形に形成される構成では、従来と同様に床面や壁面に沿わせて、連続して被覆が可能となり、また、必要な大きさ（広さ）に、連結体４を用いて連結させることで構成できる。また、撤去する場合には、連結体４同士の噛み合わせを解くことで、それぞれが分離でき、すなわち、連結体４同士の分離だけであることから、簡単に撤去作業を行うことができるとともに、廃材などが発生せず、取り扱いが簡便なものとなる。
なお、構成素材としての樹脂を再生可能樹脂、例えばポリプロピレンにて構成させることで、破損等が起きた場合には、シート本体２及び連結体４を再溶融、再成形し、再生利用可能となる。
【００１０】
請求項２記載の養生シートは、可撓性を有する樹脂製シート材よりなり、所定形状に形成されるとともに所定の厚さに形成されるシート本体２を、端縁同士を連結して連続した面状に構成させてなる養生シート１であって、
シート本体２の縁部３を表裏面から挟持する一対の挟持片６を備えた断面略コ字状の取付基部５と、
取付基部５の先端から一方の挟持片６に連続して片状に延出するとともに、中途から先端縁９が内向きに傾斜形成され、略逆鉤状となって断面略Ｌ字状に形成され、且つ該先端縁９に膨出部１０が形成されて、前記取付基部５との間隙を狭窄形成し、奥拡がり形状の溝部１１が形成される連結部８と、
を具備する可撓性を有する樹脂素材よりなるレール状連結体４を、
前記シート本体２の縁部３に前記取付基部５にて固着させるとともに、
該シート本体２に隣り合うシート本体２の縁部３には、連結体４を対称配置で固着して、
隣接する各シート本体２の各縁部３に沿ってそれぞれ配設される各連結体４の連結部８同士を、各先端縁９にて互いに噛み合わせ、前記シート本体２同士を連結することを特徴とする。
【００１１】
この養生シート１では、シート本体２の各辺部分となる縁部３に、連結体４を固着することで、同様に構成する複数のシート本体２同士を並べ、隣り合う各縁部３の連結体４を先端縁９同士で噛み合わせることで連結でき、必要な広さの養生シート１を構築可能となる。特に可撓性を有する素材で構成したことで、連結体４の部分で屈曲が可能となり、部屋内の入隅部分２１や出隅部分２２においても、その形状に追従して壁面や床面を覆うことが可能となる。また、撤去する場合には、連結体４同士の噛み合わせを解くことで、それぞれが分離でき、すなわち、連結体４同士の分離だけであることから、簡単に撤去作業を行うことができるとともに、廃材などが発生せず、取り扱いが簡便なものとなる。
また、この養生シート１では、連結部８と取付基部５とで形成される間隙が、連結部８の膨出部１０によって奥拡がり形状の溝部１１を形成するので、連結体４同士の連結が、互いに噛み合せた状態で容易に解除され離脱してしまうことがなく、すなわち、屈曲させた状態であってもシート本体２同士の連結状態が解かれてしまうことがない。
【００１２】
請求項３記載の養生シートは、前記連結体４は、隣り合うシート本体２での対称配置となり互いに係合し合うそれぞれで、異なる色で構成されることを特徴とする。
【００１３】
この養生シート１では、連結体４を異なる色同士で構成することで、シート本体２を並設させた際に、各連結体４を異なる色同士で隣り合わせれば、各連結体４が対称位置となり、容易にシート本体２同士をこれら連結体４で連結させていくことができる。
【００１４】
請求項４記載の養生シートは、前記連結体４の取付基部５の先端と、前記シート本体２の縁部３における端縁３ａとが、所定の間隙１３を有して固着されていることを特徴とする。
【００１５】
この養生シート１では、連結体４にて連結構成された養生シート１を、この連結体４の部分で屈曲させた際に、所定の間隙１３により、遊びが増え、連結体４の取付基部５とシート本体２の縁部３とで屈曲変形を許容でき、屈曲を行いやすくする。
【考案の効果】
【００１６】
本考案に係る請求項１記載の養生シートによれば、シート本体の各辺部分となる縁部に、連結体を固着することで、同様に構成する複数のシート本体同士を並べ、隣り合う各縁部の連結体を先端縁同士で噛み合わせることで連結でき、必要な広さの養生シートを容易に構築可能となる。特に可撓性を有する樹脂素材で構成したことで、連結体の部分で屈曲が可能となり、例えば部屋内の入隅部分や出隅部分においても、その形状に追従して壁面や床面を覆うことが可能となる。また、撤去する場合には、連結体同士の噛み合わせを解くことで、それぞれが分離でき、すなわち、連結体の分離だけであることから、簡単に撤去作業を行うことができる。さらに、シート本体と連結体とは互いが固着された構成であり他の構成部材を要せず養生作業が行えることから、撤去後に廃材などが発生せず、取り扱いが簡便なものとなる。
【００１７】
請求項２記載の養生シートによれば、上記請求項１の効果に加え、連結体の連結部先端縁に膨出部が形成されて、間隙を狭窄形成したので、並設される連結体と互いが噛み合った状態で、膨出部同士が抜け出し方向に抗することとなり、この連結体による連結位置で屈曲させても容易に互いの噛み合いが外れることがなく、養生シートとしての、形状追従性が良好となる。
【００１８】
請求項３記載の養生シートによれば、隣り合う連結体を異なる色で構成することで、異なる色の連結体同士であれば連結を行え、同色となる連結体では、係合が行えないように構成することができ、すなわち、養生シートを構成させる際に、異なる色同士を順次連結させることで、作業を進めることが可能となり、作業性が良好なものとなる。
【００１９】
請求項４記載の養生シートによれば、連結体にて連結構成された養生シートを、この連結体の部分で屈曲させた際に、所定の間隙により、遊びが増え、連結体の取付基部とシート本体の縁部とで屈曲変形を許容でき、屈曲を行いやすくする。
【考案を実施するための最良の形態】
【００２０】
図１は本考案による養生シートの一実施の形態を示す側断面図である。
本考案の養生シート１は、シート本体２と連結体４とで大略構成される。
シート本体２は、所定の形状に形成されるとともに所定の厚さに形成され、可撓性を有する樹脂を素材としたシート材よりなる。
本実施の形態でのシート本体２は、矩形状に形成される。このシート本体２は、その配置される場所（間取り）に応じた大きさに形成されるが、例えば、約９００ｍｍ×約１８００ｍｍの畳み１枚分の大きさとなるような長方形状や、その他の寸法の矩形状などに形成され、厚さが所定の厚さとされ、例えば押出成形にて得られるものである。シート本体２の素材としては、ポリプロピレンが好適に用いられる。なお、押出成型時、或いは押出成型後に加熱ローラ等を持ちいて、表裏面にシボ面などを形成することで、平滑な表裏面に比べて滑り止め効果を得られる表裏面となる。
【００２１】
連結体４は、取付基部５と、連結部８とで大略構成され、略真直な略レール状に形成される。
取付基部５は、一対の挟持片６，６を備え、これら挟持片６，６の各一端を連結する支持片７を有し、各挟持片６，６が略平行となって断面略コ字状に形成される。各挟持片６，６の間隔長さは、シート本体２の厚さと略同等に形成される。
【００２２】
連結部８は、取付基部５の先端となる支持片７に、一方の挟持片６に連続するように、この挟持片６の延出方向と逆方向に延出して設けられる。この連結部８は、片状に形成され、中途が屈曲形成されており、先端縁９が内向きに傾斜形成されて、略逆鉤となって断面略Ｌ字状に形成される。また、本実施の形態では、先端縁９の厚みがやや大きく形成され、膨出部１０が形成されている。この膨出部１０により、取付基部５の支持片７との間隙を狭窄するようになっており、すなわち奥拡がり状の溝部１１が形成される。
【００２３】
また、この連結体４は、可撓性を有する樹脂素材よりなり、好ましくは、上記シート本体２と同素材のポリプロピレンよりなり、押出成形にて成形される。
【００２４】
そして、この連結体４は、取付基部５の一対の挟持片６，６にて、シート本体２の縁部３を表裏面から挟持し、シート本体２に固定される。この固定手段としては、例えば超音波溶着にて行われ、図４に示すように、シート本体２の縁部３に沿って所定間隔ごととなって溶着部１２を形成し固定され、好ましくは表裏両面（両挟持片６，６）から点状に複数溶着される。なお、シート本体２の縁部３における端縁３ａと、取付基部５の先端である支持片７とには、図１に示すように、所定の間隙１３を有するようにそれぞれが固着されるようになっている。
【００２５】
なお、シート本体２に対して、レール状の連結体４は、その四辺にそれぞれ固着されて構成されるが、一方の長辺と、この長辺に隣り合う一方の短辺とには、連結体４の先端縁９の向く方向、すなわち溝部１１が形成される方向を同方向として取り付けられ、また、他方の長辺と、この長辺に隣り合う他方の短辺とには、上記連結体４と逆向きとなるように先端縁９が向き、すなわち溝部１１の向きが逆方向とされて、それぞれ連結体４が取り付けられる。また、これら四つの連結体４は、本実施の形態では、上記一方の長辺と一方の短辺に固着される連結体４を例えば黒色の樹脂素材で成形し、他方の長辺と他方の短辺に固着される連結体４を例えば白色の樹脂素材で成形して、すなわちそれぞれで異なる色となるように構成している。
【００２６】
このように構成された養生シート１では、まず、シート本体２の一方の縁部３に固着されている連結体４に並設させる他のシート本体２の縁部３を、図２に示すように、互いの連結体４，４の連結部８，８同士で、各先端縁９，９にて互いに噛み合わせることで、シート本体２同士が連結される。このとき、連結体４は、図３に示すように互いが対称配置となる。
本実施の形態では、隣り合うシート本体２，２での各連結体４，４は、黒色と白色の色違いで互いが連結されることとなる。すなわち、同色で隣接した場合には連結が不可能であり、異なる色を合せていくことで、連結作業を容易に進めていくことが可能となる。
【００２７】
連結時は、連結部８の先端縁９に膨出部１０が形成され、かつ先端縁９が内向きに傾斜していることから、互いを圧入させるように、すなわち、互いに先端縁９の膨出部１０を相対する溝部１１内に圧入させるように、噛み合わせることとなる。なお、この連結作業は、互いの連結体４同士を手作業にて嵌め合せ行っても良く、一方に対して他方の連結体４を重ね、足で踏むような作業で連結することとしてもよい。
そして、各辺（縁部３）の連結体４にてシート本体２の縁部３同士を、図３に示すように順次連結し、所望の広さの面状に構成させることで養生シート１となる。
【００２８】
この養生シート１によれば、屋内壁面や床面、屋外壁面など平滑な面に対して、連結体４で連結される複数のシート本体２を展延させれば、これら壁面や床面を覆い隠すことが可能となる。
【００２９】
また、床と壁面との入隅部分２１などでは、図５，６に示すように、連結体４の部分で屈曲させることで対応が可能となる。
すなわち、連結体４が可撓性を有する素材であり、かつシート本体２も可撓性を有する素材であることから、この真直な連結体４の位置で屈曲させることで、各部において撓み、屈曲変形を起こすこととなり、また、屈曲されることによって、一方の連結体４の先端部、すなわち屈曲方向側に先端縁９が延出する側に形成される溝部分１１が閉じる方向に働くとともに、各先端縁９に膨出部１０が形成されていることで、互いが抜脱されてしまうことがなく、互いの連結状態が解かれることなく多面体の稜線状部分を形成し、シート本体２同士の連結部分で、どちらの面方向にも屈曲が可能となっている（図６，７参照）。
【００３０】
また、この養生シート１を撤去する場合には、連結体４同士の噛み合わせを解くことで、すなわち、一方の連結体４に対して他方の連結体４を、一方の端部からシート本体２の面方向に引き剥がすように行うことでそれぞれを分離することができる。
【００３１】
従ってこのように構成された養生シート１では、シート本体２の各辺部分となる縁部３に、連結体４を固着することで、同様に構成する複数のシート本体２同士を並べ、隣り合う各縁部３の連結体４を先端縁９同士で噛み合わせることで連結でき、必要な広さの養生シート１を容易に、かつ迅速に構築可能となる。
【００３２】
また、連結体４を可撓性を有する素材で構成したことで、この連結体４の部分で屈曲が可能となり、部屋内の入隅部分２１や出隅部分２２においても、その形状に追従して壁面や床面を連続して覆うことが可能となる。特に、連結体４の部分で屈曲させた際に、連結体４の取付基部５とシート本体２の端縁３との間に所定の間隙１３を備える構成としたので、曲げ変形時の遊びが増え、連結体４の取付基部５とシート本体２の縁部３とで、素材である樹脂の屈曲変形を十分に許容でき、これにより隣り合うシート本体２間での屈曲を行いやすくしている。
【００３３】
また、撤去する場合には、連結体４同士の噛み合わせを解くことで、それぞれが分離でき、すなわち、連結体４同士の分離だけであることから、簡単に撤去作業を行うことができる。
【００３４】
さらに、シート本体２と連結体４とは、互いが固着された略一体構造であり、廃材などが発生せず、取り扱いが簡便なものとなる。
【００３５】
また、本考案の養生シート１によれば、素材をポリプロピレン樹脂にて成形し構成することとしたので、破損、汚損などで養生シート１としての再使用が不可能となった場合に、再成形が可能、すなわちリサイクルが可能となり、廃棄物とならず、シート本体２及び連結体４を再溶融、再成形して、再び養生シート１として再生可能となる。このことから、廃棄処分に伴う煩雑な作業と費用は発生しない。
【００３６】
なお、上述した実施の形態では、シート本体２の形状を、長方形状に形成させた例について述べたが、このシート本体２の形状としては、例えば、さらに短尺でかつ帯状に形成される形状としてもよい。この場合、このシート本体２が、例えば階段などの蹴上げ面や踏み面などを覆うことが可能となり、連結体４の位置で屈曲させることで対応が可能となる。
【００３７】
また、このシート本体２は、上述の長方形状に限ることはなく、例えば正方形に形成することとしてもよく、或いは正三角形などに形成することとしてもよい。また、その他、三角形、台形、五角形、六角形、或いはＬ字状やコ字状などの多角形や湾曲した辺部を備える形状として構成してもよい。
【００３８】
さらに、上述した長方形や帯形状、正方形状、三角形状など、種々の形状を組み合わせることも可能であり、養生の必要な施工現場に合せ、その組み合わせを連結体４の連結で行うことが可能である。
【００３９】
また、上述した実施の形態では、シート本体２の色彩について特に述べていないが、養生工程が容易に判断可能な色合いで構成することはもちろんであるが、素材が樹脂であることから、その他現場に合せた色、或いは模様など化粧シート状に構成してもよく、さらには、半透明など淡い色とすることで光の透過を得ることが可能であり、例えば照明或いはガラス窓等を養生として覆う際に、その照明等による採光を得ることが可能となる。
【図面の簡単な説明】
【００４０】
【図１】本考案による養生シートの一実施の形態における一部省略側断面図である。
【図２】同養生シートの連結手順を示す側断面図である。
【図３】同養生シートの連結体の連結状態を示す側断面図である。
【図４】同養生シートの連結体の連結状態を示す平面図である。
【図５】同養生シートを壁面と床面とで構成される入隅部分に沿わせた概略斜視図である。
【図６】同養生シートの入隅部分での屈曲状態を示す側断面図である。
【図７】同養生シートの出隅部分での屈曲状態を示す側断面図である。
【符号の説明】
【００４１】
１…養生シート
２…シート本体
３…縁部
３ａ…端縁
４…連結体
５…取付基部
６…挟持片
８…連結部
９…先端縁
１０…膨張部
１１…溝部
１３…間隙
【図１】
0003116651.tif 000003
【図２】
0003116651.tif 000004
【図３】
0003116651.tif 000005
【図４】
0003116651.tif 000006
【図５】
0003116651.tif 000007
【図６】
0003116651.tif 000008
【図７】
0003116651.tif 000009